(57)【要約】【課題】  小型動物専用の檻として構造が単純かつ軽量で閉鎖部材ストッパーが確実に動作する捕獲檻を提供することを課題とする。【解決手段】  本考案による捕獲檻は、一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下後再び持ち上げられるのを防止する閉鎖部材上昇ストッパーが前記閉鎖部材保持手段に隣接して設けられていることを特徴とする。【選択図】図２
0003133180.tif 000002
【実用新案登録請求の範囲】
【請求項１】
一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下後再び持ち上げられるのを防止する閉鎖部材上昇ストッパーが前記閉鎖部材保持手段に隣接して設けられていることを特徴とする捕獲檻。
【請求項２】
一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下後再び持ち上げられるのを防止する閉鎖部材上昇ストッパーが前記閉鎖部材保持手段に隣接して設けられており、前記閉鎖部材保持手段の扉ストッパー先端下面及び閉鎖部材上昇ストッパー上面に傾斜が設けられていることを特徴とする捕獲檻。
【請求項３】
一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下後再び持ち上げられるのを防止する閉鎖部材上昇ストッパーが前記閉鎖部材保持手段に隣接して設けられており、前記閉鎖部材保持手段の扉ストッパー先端下面及び閉鎖部材上昇ストッパー上面に傾斜が設けられたラッチからなることを特徴とする捕獲檻。
【考案の詳細な説明】
【技術分野】
【０００１】  本考案は、動物、特にはハクビシンなどの小型獣を捕獲するのに好適な捕獲檻に関する。
【背景技術】
【０００２】  一般に、片側端部または両端部に開口を有する角筒状の檻本体と、この開口部にドアが摺動可能に設置され垂直に降下して開口を塞ぐように構成された捕獲檻は公知である。これらの檻では、ワイヤ引っ掛け式、床面踏み込み式、回転式、揺動式等、種々の方式により動物が檻内に入った際にドアを自動的に作動させて動物を閉じ込める機構が採用されている。【０００３】  従来の捕獲檻は、例えば特許文献１では、正面と背面に落とし戸を有する動物捕獲用の檻において、この落とし戸を受け止めて入り口を確保するためのラッチボルトを有する構造が開示されている。この檻は大型動物から小型動物にまで適用できるように檻本体の両側に開口部を有し、この開口部に配置した落とし戸を同時に作動落下させることにより動物を捕獲する。しかし、大型動物から小型動物まで対応するためには檻本体を大きなサイズで作製する必要があり、それによって重量が大きくなって運搬が困難になるという問題点がある。また、大型動物捕獲の際には作業等の観点から両側に開口部を設けることが利便性が高いが、それがかえって機構を複雑とし重量も増加させてしまうという問題点もある。【０００４】  特許文献２には、開口部が片側のみの檻において、開口部閉塞板を解放する係止解除機構が閉塞板落下後にこの閉塞板上部に再び突出し、閉塞板の上方へのスライド移動を阻止する機構が開示されている。この技術においては、閉塞板の係止解除と落下後の上方移動阻止を同一部材により実現できるため気候が単純となりコストも安くできるが、一方で係止解除機構とこの係止解除機構作動部とが連結されているため、捕獲した動物が檻内で暴れた際に係止解除機構が移動してスライド阻止機能が解除されてしまう可能性があり、機能が不安定であるという問題点がある。【０００５】  また特許文献３には、昇降扉側面にロック機構を設け、昇降扉が下降した際に自動的にその位置にロックすることができるよう構成した動物捕獲用檻が開示されている。しかし、このロック機構の場合昇降扉の案内レール内に位置しているため、昇降扉の動作を阻害する恐れがあり、また、昇降扉を檻幅いっぱいに構成した場合、ロック機構の先端が檻の側面に突出して邪魔になることがあった。【０００６】
【特許文献１】実用新案登録第３０８２９８４号公報
【特許文献２】特開２００４−３０５０５０号公報
【特許文献３】特開２００５−８７０７２号公報
【考案の開示】
【考案が解決しようとする課題】
【０００７】  本考案は上記問題点に鑑みてなされたものであり、小型動物専用の檻として構造が単純かつ軽量で閉鎖部材ストッパーが確実に動作する捕獲檻を提供することを課題とする。
【課題を解決するための手段】
【０００８】  上記課題を解決するため本考案による捕獲檻は、一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下後再び持ち上げられるのを防止する閉鎖部材上昇ストッパーが前記閉鎖部材保持手段に隣接して設けられていることを特徴とする。【０００９】  本考案による捕獲檻の別の特徴は、一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下後再び持ち上げられるのを防止する閉鎖部材上昇ストッパーが前記閉鎖部材保持手段に隣接して設けられており、前記閉鎖部材保持手段の扉ストッパー先端下面及び閉鎖部材上昇ストッパー上面に傾斜が設けられていることである。【００１０】  さらに前記閉鎖部材保持手段の扉ストッパー先端下面及び閉鎖部材上昇ストッパー上面に傾斜が設けられたラッチからなることが望ましい。
【考案の効果】
【００１１】  本考案による捕獲檻では、開口部を片面のみとすることにより構造を単純化して製造コストを低減し、また開口部閉鎖部材の保持手段と閉鎖部材上昇ストッパーとを別部材として檻本体の上面に隣接して設けることにより檻本体からの突出部をできるだけなくし、また動作を確実にすることができる。
【考案を実施するための最良の形態】
【実施例】
【００１２】  本考案による捕獲檻の基本構成を図１に示す。檻本体１は格子状金属部材により直方体状に構成し、一方に開口部を形成する。開口部の両側面にはガイドレールを設け、このガイドレールに案内されて上下に摺動自在な入り口ドア２を配置する。一方、檻本体１上面には、入り口ドア２を開口部上方に保持し動物感知部６の動作に連動して入り口ドアの保持を解除するドア駆動部３を設ける。【００１３】  図２に、ドア駆動部６の主要部を示す。ドア駆動部６には水平方向に前進後退自在なドアホルダーラッチ１１が設けられ、このドアホルダーラッチ１１は主作動レバー１２を介して主作動スプリングに接続され、開口部に向かって付勢されている。ドアホルダーラッチ１１の先端部には、上面が水平面かつ下面が傾斜面に形成されたドアホルダー１０が配置されている。さらにこのドア駆動部３には、ドアホルダーラッチ１１に隣接してドア上昇ストッパーラッチ８が設けられ、図示してはいないがやはり開口部に向かって付勢されている。このドアホルダーラッチ８の上面には解除レバーが取り付けられていて、一方線端部には上面に傾斜面、下面に水平面が形成されたドア上昇ストッパー７が配置されている。【００１４】  前記ドアホルダーラッチ１１はまた、主作動レバー１２、トリガー板１４及びトリガーピン４を介してメインワイヤ５により動物感知部６に接続されている。【００１５】  動物感知部６の詳細構成を図３に示す。ブランコ駆動主軸１８が檻本体１上部に水平に配置されており、このブランコ駆動主軸１８中央に駆動主軸１８に対して垂直にブランコ駆動長ボルト１７が配置されている。ブランコ駆動長ボルト１７の上端には上部駆動調整ボルト１５が配置され、固定ボルト１６により長さ調整可能に固定されている。また、下端には下部駆動調整ボルト２０が配置され、固定ボルト１９により長さ調整可能に固定されている。下部駆動調整ボルト２０は下部に向かって伸び、先端にはブランコバー２２が形成されており、また途中には細径のヒューズ部２１が設けられている。【００１６】  次に、本実施例の捕獲檻の動作について説明する。ドアホルダーラッチ１０は付勢されているため、常に入り口ドア２の動作経路内に突出している。このため、入り口ドア２を上方に持ち上げるとドア２の下面がこのラッチ１０により遮られて、檻本体上方に保持される。【００１７】  ブランコバー２２にハクビシンなどの動物が好む餌を取り付けておき、動物が檻内に入ってブランコバー２２に接触すると、このバー２２がブランコ駆動主軸の回りに揺動する。この揺動がメインワイヤ５を通してトリガーピン４に伝えられると、トリガーピン４がトリガー板１４の穴から抜け落ち、トリガー板１４が解放される。この動作によりトリガー板１４はスプリング１３の弾性力により開口部側に引き寄せられ、それに伴って主作動レバー１２が回動してドアホルダーラッチ１１を動物感知部側に後退させる。これによりドアホルダー１０が後退し入り口ドア２を解放するので、ドア２は自重により落下し開口部を閉鎖する。ドア２が完全に落下すると、付勢されているドア上昇ストッパー７がドア２の移動経路内に突出するので、ドア２は上方に持ち上げられることはなくなる。【００１８】  ���獲した動物を取り出す際、或いは再び入り口ドア２をセットする際には、解除レバー９を操作してドア上昇ストッパー７をア２の移動経路内から退避させることにより、ドア２を上方へ持ち上げることが可能となる。【００１９】  本実施例においては動物感知部としてブランコ式のものを用いたが、特に限定されるものではないので、他の機構を使用することももちろん可能である。
【産業上の利用可能性】
【００２０】  本考案によれば、小型軽量で製造コストの安い捕獲檻を提供できるばかりか、捕獲した動物が入り口ドアを持ち上げて逃げ出すことを確実に防止することが可能であり、動物等の捕獲檻において有用である。
【図面の簡単な説明】
【００２１】
【図１】本考案による捕獲檻の実施例を示す斜視図である。
【図２】図１に示した実施例のドア駆動部を示した斜視図である。
【図３】図１に示した実施例の動物感知部を示した正面図である。
【符号の説明】
【００２２】１            檻本体
２            入り口ドア
３            ドア駆動部
４            トリガーピン
５            メインワイヤ
６            動物感知部
７            ドア上昇ストッパー
８            ドア上昇ストッパーラッチ
９            解除レバー
１０          ドアホルダー
１１          ドアホルダーラッチ
１２          主作動レバー
１３          主作動スプリング
１４          トリガー板
１５          上部駆動調整ボルト
１６          固定ボルト
１７          ブランコ駆動長ボルト
１８          ブランコ駆動主軸
１９          固定ボルト
２０          下部駆動調整ボルト
２１          ヒューズ部
２２          ブランコバー
【図１】
0003133180.tif 000003
【図２】
0003133180.tif 000004
【図３】
0003133180.tif 000005